(57)【要約】【課題】患者のところまで医療従事者が足を運ばなくてもその患者の容態を迅速かつ容易に判断することができる医療用モニタシステムを提供する。【解決手段】ネットワークに接続された複数の生体情報表示装置３ａ、３ｂ、３ｃ、・・・、３ｊと、生体情報表示装置との間で無線通信可能な携帯端末５とを備え、生体情報表示装置は、測定した患者の生体情報の値が予め定められた閾値を超えたときにアラーム情報を送信する送信手段２２備え、携帯端末５は、送信手段２２から送信されたアラーム情報を受信可能な受信手段３３と、受信したアラーム情報を任意の生体情報表示装置に対して近距離無線送信可能な送信手段３２を備え、携帯端末５による近距離無線送信によって、アラーム情報を近距離無線送信された生体情報表示装置に、アラーム情報を送信する生体情報表示装置の生体情報をネットワークを介して表示する構成とした。【選択図】図２
2014155540.tif 000002
【特許請求の範囲】
【請求項１】
ネットワークに接続された複数の生体情報表示装置と、
前記生体情報表示装置との間で無線通信可能な携帯端末とを備えた医療用モニタシステムにおいて、
前記生体情報表示装置は、測定された患者の生体情報の値が予め定められた閾値を超えたときにアラーム情報を送信する送信手段を備え、
前記携帯端末は、前記送信手段から送信されたアラーム情報を受信可能な受信手段と、当該受信したアラーム情報を任意の前記生体情報表示装置に対して無線送信可能な送信手段を備え、
前記携帯端末による無線送信によって、前記携帯端末から前記アラーム情報を無線送信された任意の生体情報表示装置に、前記アラーム情報を送信している生体情報表示装置の生体情報を前記ネットワークを介して表示する構成としたことを特徴とする医療用モニタシステム。
【請求項２】
前記生体情報表示装置の送信手段は、前記アラーム情報に加えて閾値を超えた生体情報を送信可能であり、
前記生体情報表示装置の送信手段から前記アラーム情報と閾値を超えた生体情報が送信された場合には、
前記携帯端末の受信手段は、前記アラーム情報と閾値を超えた生体情報を受信し、前記携帯端末の送信手段は、当該受信したアラーム情報と閾値を超えた生体情報を任意の前記生体情報表示装置に対して無線送信して、
前記アラーム情報と閾値を超えた生体情報とを無線送信された任意の生体情報表示装置に、当該アラーム情報と閾値を超えた生体情報を表示する構成としたことを特徴とする請求項１に記載の医療用モニタシステム。
【請求項３】
前記携帯端末による無線送信が行われた生体情報表示装置に、任意の患者の生体情報を表示可能な構成としたことを特徴とする請求項１または２に記載の医療用モニタシステム。
【請求項４】
前記アラーム情報を送信している生体情報表示装置の生体情報は、前記携帯端末の無線送信によって前記アラーム情報を送信された生体情報表示装置の表示の一部に重ねて表示されることを特徴とする請求項１に記載の医療用モニタシステム。
【請求項５】
前記アラーム情報と閾値を超えた生体情報は、前記無線送信された生体情報表示装置の表示の一部に重ねて表示されることを特徴とする請求項２に記載の医療用モニタシステム。
【請求項６】
前記携帯端末の受信手段が２以上のアラーム情報を受信した場合には、操作者によって選択されたアラーム情報が前記携帯端末の送信手段から無線送信されることを特徴とする請求項１に記載の医療用モニタシステム。
【請求項７】
２以上のアラーム情報が操作者によって選択されて前記携帯端末の送信手段から無線送信された場合には、前記アラーム情報を送信している２以上の生体情報表示装置の生体情報が、前記無線送信された生体情報表示装置の表示の一部に分割あるいは重ねて表示されることを特徴とする請求項６に記載の医療用モニタシステム。
【発明の詳細な説明】
【技術分野】
【０００１】
本発明は、患者の生体情報を表示画面に表示するための医療用モニタシステムに関するものである。
【背景技術】
【０００２】
従来、医療機関において、患者の状態を監視するために、各ベッドサイドに置かれた生体情報表示モニタ（ベッドサイドモニタ）が使用されている。そして、ベッドサイドモニタに取得された患者の生体情報が予め定められた範囲を逸脱したときに警告音を発生させその旨を報知している。警告音が発せられた患者への処置は迅速かつ的確であることが必要である。ところが、生体情報が範囲を逸脱したか否かの判断は機械的な判断であるため患者の病状以外の要因による誤った警告音が発生することも少なくはない。このため、医療従事者が警告音に振り回されて、複数の患者において警告音が重複して発生した場合には、迅速かつ的確な処置を行うことができなくなる可能性も生じる。
【０００３】
そこで、例えば、下記特許文献１には、発信された患者アラーム（警告音）の正否を的確に判断することができる波形表示付携帯型無線呼出し用受信機が開示されている。この受信機によれば、医療従事者（医師、看護師）が所持するポケットベルの一種である携帯型無線呼出し用受信機に、受信した患者の生体情報信号のうちの少なくとも患者アラーム時における心電図信号の波形を表示部に表示させることにより、患者の容態を判断するとともに患者アラームの正否を判断することができる。
【先行技術文献】
【特許文献】
【０００４】
【特許文献１】実公平０７−０２７７４１号公報
【発明の概要】
【発明が解決しようとする課題】
【０００５】
ところが、特許文献１に開示された波形表示付携帯型無線呼出し用受信機では、受信機が携帯型であるためその表示部も小型であり、患者に関する複数種類の生体情報を表示部に表示させようとした場合、全ての情報内容を明瞭に表示することは困難であった。したがって、患者アラームを発生させている患者の容態をより明確に判断するためには、医療従事者がその患者のベッドサイドモニタまで移動しなければならなかった。
【０００６】
また、携帯型受信機の表示部で、アラームを発生させている患者の複数種類の情報を明瞭に表示させようとする場合、表示部を具備する受信機自体を大型化・高性能化しなければならず、コストが高くなってしまう。
【０００７】
そこで、本発明は、携帯型受信機を大型化・高性能化することなく、その患者の容態を迅速かつ容易に判断することができる医療用モニタシステムの提供を目的とする。
【課題を解決するための手段】
【０００８】
上記課題を解決するために、本発明の医療用モニタシステムは、ネットワークに接続された複数の生体情報表示装置と、前記生体情報表示装置との間で無線通信可能な携帯端末とを備えた医療用モニタシステムにおいて、前記生体情報表示装置は、測定された患者の生体情報の値が予め定められた閾値を超えたときにアラーム情報を送信する送信手段を備え、前記携帯端末は、前記送信手段から送信されたアラーム情報を受信可能な受信手段と、当該受信したアラーム情報を任意の前記生体情報表示装置に対して無線送信可能な送信手段を備え、前記携帯端末による無線送信によって、前記携帯端末から前記アラーム情報を無線送信された任意の生体情報表示装置に、前記アラーム情報を送信している生体情報表示装置の生体情報を前記ネットワークを介して表示する構成としたことを特徴とする。
【０００９】
また、本発明の医療用モニタシステムにおいて、前記生体情報表示装置の送信手段は、前記アラーム情報に加えて閾値を超えた生体情報を送信可能であり、前記生体情報表示装置の送信手段から前記アラーム情報と閾値を超えた生体情報が送信された場合には、前記携帯端末の受信手段は、前記アラーム情報と閾値を超えた生体情報を受信し、前記携帯端末の送信手段は、当該受信したアラーム情報と閾値を超えた生体情報を任意の前記生体情報表示装置に対して無線送信して、前記アラーム情報と閾値を超えた生体情報とを無線送信された任意の生体情報表示装置に、当該アラーム情報と閾値を超えた生体情報を表示する構成とすることが好ましい。
【００１０】
また、本発明の医療用モニタシステムは、前記携帯端末による無線送信が行われた生体情報表示装置に、任意の患者の生体情報を表示可能な構成とすることが好ましい。
【００１１】
また、本発明の医療用モニタシステムにおいて、前記アラーム情報を送信している生体情報表示装置の生体情報は、前記携帯端末の無線送信によって前記アラーム情報を送信された生体情報表示装置の表示の一部に重ねて表示されることが好ましい。
【００１２】
また、本発明の医療用モニタシステムにおいて、前記アラーム情報と閾値を超えた生体情報は、前記無線送信された生体情報表示装置の表示の一部に重ねて表示されることが好ましい。
【００１３】
また、本発明の医療用モニタシステムは、前記携帯端末の受信手段が２以上のアラーム情報を受信した場合には、操作者によって選択されたアラーム情報が前記携帯端末の送信手段から無線送信されることが好ましい。
【００１４】
また、本発明の医療用モニタシステムは、２以上のアラーム情報が操作者によって選択されて前記携帯端末の送信手段から無線送信された場合には、前記アラーム情報を送信している２以上の生体情報表示装置の生体情報が、前記無線送信された生体情報表示装置の表示の一部に分割あるいは重ねて表示されることが好ましい。
【発明の効果】
【００１５】
本発明の医療用モニタシステムによれば、医療従事者が携帯している情報送受信可能な端末を操作することにより、アラームを発生させている患者の生体情報を最寄のモニタによって確認することができるので、その患者のところまで医療従事者が移動しなくても患者の容態を迅速かつ容易に判断することができる。また、最寄のモニタの画面を用いるため、医療従事者が携帯する端末の画面を大型化したり高性能化する必要はない。
【図面の簡単な説明】
【００１６】
【図１】本発明に係る医療用モニタシステムの構成を示す模式図である。
【図２】医療用モニタシステムの機能構成例を示すブロック図である。
【図３】ベッドサイドモニタに表示される生体情報の一例を示す図である。
【図４】携帯端末の無線送信によってベッドサイドモニタに表示されたアラーム情報を発生させた患者の生体情報を示す図である。
【発明を実施するための形態】
【００１７】
以下、本発明に係る医療用モニタシステムの実施形態の一例を添付図面に基づいて説明する。
【００１８】
（第１の実施形態）
図１は、医療用モニタシステム１の構成を模式的に示した図である。この医療用モニタシステム１は、無線または有線によるネットワーク２を介して接続された複数の生体情報表示装置３（ベッドサイドモニタ３ａ、３ｂ、３ｃ、・・・、３ｊ）と、同じくネットワーク２に接続されたセントラルモニタ４と、これらの各モニタと無線通信可能な携帯端末５を備えている。
【００１９】
なお、図１は、ある病院におけるワンフロア（例えば、外科フロア）の様子を示したものである。各病室201号室、202号室、203号室、・・・、210号室にベッドサイドモニタ３ａ、３ｂ、３ｃ、・・・、３ｊがそれぞれ設置され、ナースステーション２００にはセントラルモニタ４が設置されている。
【００２０】
各ベッドサイドモニタ３ａ、３ｂ、３ｃ、・・・、３ｊには、心拍数や血圧や酸素飽和度等のパラメータの生体情報を取得するためのセンサが接続可能である。センサは生体情報を測定するために必要に応じて患者６ａ、６ｂ、６ｃ、・・・、６ｊに装着される。
【００２１】
また、各ベッドサイドモニタ３ａ、３ｂ、３ｃ、・・・、３ｊには、病室内の患者の様子を撮影するためのカメラ７ａ、７ｂ、７ｃ、・・・、７ｊが接続されている。使用するカメラとしては、例えば、一般のビデオカメラの他、リアルタイムの画像を転送可能なWebカメラ等を挙げることができる。
【００２２】
携帯端末５は、医療従事者が携帯する端末であり、各ベッドサイドモニタ３ａ、３ｂ、３ｃ、・・・、３ｊ、およびセントラルモニタ４と無線通信可能である。
【００２３】
図２は、医療用モニタシステム１における機能構成の概略を示す。
【００２４】
各ベッドサイドモニタ３は、測定された患者の生体情報に異常が発生したと判定したきにアラーム情報を送信する装置であり、生体信号測定部２０と、送信手段２２と受信手段２３を有する通信部２１と、表示部（表示画面）２４を備えている。
【００２５】
生体信号測定部２０は、取得された生体情報の値を計測し異常有無の判定を行っている。具体的には、生体信号測定部２０に設けられた比較判定手段によって行われている。患者から測定された生体情報の測定値（数値、波形等）を予め定められた閾値と比較し、閾値を超えている（閾値を上回るあるいは下回る）場合には、患者に異常が発生したと判定される。判定の結果、異常が発生していると判定された場合には、生体信号測定部２０はその旨および内容を報知するアラーム情報を通信部２１に出力する。
【００２６】
通信部２１の送信手段２２は、生体信号測定部２０から出力されたアラーム情報を携帯端末５に無線送信する通信手段である。また、通信部２１の受信手段２３は、携帯端末５から近距離無線により送信された信号を受信する通信手段である。
【００２７】
アラーム情報は、アラームを発生したベッドサイドモニタから送信手段２２を介して携帯端末５に無線送信される。また、アラーム情報は、ネットワーク２（図１参照）を介して当該ベッドサイドモニタからセントラルモニタ４に送信される。このとき、当該ベッドサイドモニタに設けられているアラーム表示手段（図示省略）を用いて、アラームが発生したことを表示するようにしてもよい。例えば、ベッドサイドモニタに設けられたアラーム表示灯を点灯または点滅させることによって視覚可能に表示したり、スピーカから警報音を出力するようにしてもよい。
【００２８】
表示部２４は、測定された患者の生体情報が表示される表示画面であり、例えばLCDによって構成することができる。
【００２９】
各ベッドサイドモニタ３には、患者の生体情報を測定するための生体信号取得手段１０が接続されている。具体的な生体信号取得手段１０としては、心電計１１、血圧計１２、呼吸計１３等の各センサが挙げられる。生体信号取得手段１０によって取得された生体情報はベッドサイドモニタ３の生体信号測定部２０に入力される。また、図示は省略するが、各ベッドサイドモニタ３には、取得された生体情報を保持するための記憶手段（メモリ）が設けられている。
【００３０】
携帯端末５は、医療従事者がアラーム情報を送受信するために携帯する端末であり、無線通信を行うための送信手段３２および受信手段３３を有する通信部３１と、送信されてきた情報を表示する表示部３４を備えている。携帯端末５としては、例えば、スマートフォン、院内PHS（医療用PHS）、Wi−Fi接続できる携帯電話等を用いることができる。
【００３１】
通信部３１の受信手段３３は、各ベッドサイドモニタ３から無線送信されたアラーム情報を受信する通信手段である。通信部３１の送信手段３２は、ベッドサイドモニタ３から受信したアラーム情報を、医療従事者によって指定された任意の受信装置（ベッドサイドモニタ３ａ、３ｂ、・・・、３ｊ、およびセントラルモニタ４）に近距離無線送信する通信手段である。
【００３２】
近距離無線を行う通信手段としては、例えば、NFC（Near Field Communications）を用いることができる。NFC対応機器同士を近づけることにより、すなわち携帯端末５を任意の受信装置（ベッドサイドモニタ３ａ、３ｂ、・・・、３ｊ、またはセントラルモニタ４）にかざすことにより互いを認証し、携帯端末５のアラーム情報を任意の受信装置に送信することができる。
【００３３】
表示部３４は、ベッドサイドモニタ３から無線送信されたアラーム情報が表示される表示画面であり、例えばLCDによって構成することができる。
【００３４】
携帯端末５は、アラーム情報を受信すると、着信音（着信バイブ）が出力されるとともに、その表示部３４には、患者の生体情報に異常が発生した旨、および患者ID、病室番号、患者名等のアラーム情報が表示される。
【００３５】
各医療従事者の携帯端末５には、その医療従事者が担当している患者のアラーム情報が送信されてくる。例えば、医療従事者Ａが外科部門の従事者であった場合、図１に示す外科フロアで治療を受けている患者６ａ、６ｂ、６ｃ、・・・、６ｊのうち医療従事者Ａが担当している患者のアラーム情報が、医療従事者Ａの携帯端末５に送信される。この場合、担当患者病室のベッドサイドモニタに医療従事者Ａが所持する携帯端末５を登録しておけばよい。なお、医療従事者Ａが担当する患者Ｂが、他のフロア（例えば、内科）の病室で治療を受けている場合には、その病室に設置されているベッドサイドモニタに、医療従事者Ａが所持する携帯端末５を登録しておけば患者Ｂのアラーム情報は医療従事者Ａの携帯端末に送信されてくる。
【００３６】
受信装置は、ベッドサイドモニタ３ａ、３ｂ、・・・、３ｊ、またはセントラルモニタ４の中から、医療従事者がアラーム情報を送信するために任意に指定した何れかのモニタであり、通信部４１と、表示部４４を備えている。
【００３７】
通信部４１の受信手段４３は、携帯端末５から近距離無線送信されたアラーム情報を受信する通信手段である。また、送信手段４２は、携帯端末５にアラーム情報を送信するための通信手段である。
【００３８】
表示部４４は、アラーム情報を発生させた患者の生体情報を表示する表示画面である。アラーム情報を発生させた患者の生体情報は、携帯端末５から送信されてきたアラーム情報に基づいてネットワーク２を介して受信される。表示部４４は、例えばLCDによって構成することができる。
【００３９】
このような構成により、医療従事者は、所持する携帯端末５において、患者の生体情報に異常を検出したベッドサイドモニタ３ａ、３ｂ、・・・、３ｊから無線送信されるアラーム情報を受信する。そして、ネットワーク２に接続されているベッドサイドモニタ３ａ、３ｂ、・・・、３ｊ、またはセントラルモニタ４の何れかのモニタを任意に指定し、そのモニタに対して携帯端末５を介し、受信したアラーム情報を近距離無線送信する。これにより、アラーム情報を送信されたベッドサイドモニタ３ａ、３ｂ、３ｃ、・・・、３ｊ、またはセントラルモニタ４の表示画面には、アラーム情報に含まれる患者ID等に基づきネットワーク２を介して受信されたアラーム情報を発生させた患者の生体情報が表示される。このとき、指定したモニタへのアラーム情報の送信は、例えば、指定モニタに携帯端末５をかざす（近づける）だけという簡単な行為によって実現することが可能である。
【００４０】
具体的には、例えば、図１において医療従事者Ａが病室201号で患者６ａの回診を行っていたとする。そのとき患者６ｊの生体情報に異常が発生した場合、ベッドサイドモニタ３ｊからその旨を通知するアラーム情報が医療従事者Ａの携帯端末５に無線送信される。すると、医療従事者Ａの携帯端末５は、着信音（着信バイブ）を発生することによってアラーム情報を受信した旨を報知する。また、携帯端末５の表示画面には、“生体情報異常発生”のメッセージとともに、患者６ｊの“患者ID：xxxxxxx”、病室“210号”、患者名“光電太郎”等のアラーム情報が表示される。
【００４１】
この場合、医療従事者Ａは、ネットワーク２に接続されているベッドサイドモニタ、例えば、最寄のベッドサイドモニタ３ａに対し携帯端末５を用いて近距離無線通信（携帯端末５をベッドサイドモニタ３ａに近づけるという簡単な動作）を行い、受信したアラーム情報（“患者ID：xxxxxxx”等）を送信する。これにより、アラーム情報を発生させた患者６ｊの生体情報および患者のカメラ映像を、ベッドサイドモニタ３ａの表示画面に表示させることができる。
【００４２】
このように医療従事者は、回診を行っている患者の病室から移動することなく、アラーム情報を発生させた離れた病室に居る患者の生体情報を、回診を行っているその患者のところに設置されたモニタ（最寄のモニタ）を用いて確認することが可能になる。
【００４３】
これは医療従事者がどこに居ても同様であり、アラーム情報を受信する度にそのアラーム情報を発生させた患者の病室まで足を運ぶ必要が無く、最寄のベッドサイドモニタ３ａ、３ｂ、３ｃ、・・・、３ｊ、あるいはセントラルモニタ４において携帯端末５を用いた近距離無線送信を行うだけでよい。
【００４４】
また、セントラルモニタ４には、各ベッドサイドモニタ３ａ、３ｂ、３ｃ、・・・、３ｊにおいて測定されている生体情報に異常が検出される毎に、アラーム情報がネットワーク２を介して送信されてくる。アラーム情報が送信されてきた旨は、セントラルモニタ４の表示画面に、例えば、警報マークが患者の病室番号や患者名等とともに表示されることによって報知される。その旨をさらに確実に認識させるために警報マークを点滅表示したりあるいは警報音を出力させるようにしてもよい。
【００４５】
このようなアラームを受信した場合に、ナースステーション２００の医療従事者は、セントラルモニタ４のモニタ表示操作を行うことにより、ネットワーク２を介しセントラルモニタ４の表示画面において、アラーム情報を発生させた患者の生体情報、および患者の様子を撮影しているカメラ映像をリアルタイムで確認することができる。
【００４６】
また、各ベッドサイドモニタ３ａ、３ｂ、３ｃ、・・・、３ｊもネットワーク２に接続されているため、アラーム情報を発信したベッドサイドモニタ以外のベッドサイドモニタにおいても、アラーム情報を発生させた患者の生体情報、および患者の様子を撮影しているリアルタイムのカメラ映像を表示画面に表示させて確認することができる。この場合、ベッドサイドモニタのモニタ表示操作、例えば、モニタの表示ボタンで病室指定やベッドサイドモニタ指定や患者指定（患者ID入力）等の操作を行うことにより確認できる。
【００４７】
また、各ベッドサイドモニタ３ａ、３ｂ、３ｃ、・・・、３ｊはネットワーク２に接続されているので、携帯端末５から無線送信が行われたベッドサイドモニタに、任意の患者の生体情報を表示することもできる。この場合にも、モニタの表示ボタンで病室指定やベッドサイドモニタ指定や患者指定（患者ID入力）等の操作を行えばよい。
【００４８】
次に、受信装置（ベッドサイドモニタ３ａ、３ｂ、・・・、３ｊ、セントラルモニタ４）の表示部４４、すなわち医療従事者が任意に指定したベッドサイドモニタ３ａ、３ｂ、・・・、３ｊ、またはセントラルモニタ４の表示部に表示される画像について図３および図４に基づき説明する。なお、以下の説明では、図１で上述したように病室210号の患者６ｊの生体情報に異常が発生し、ベッドサイドモニタ３ｊからアラーム情報が無線送信されたものとする。このアラーム情報は、患者６ｊを担当する医療従事者Ａの携帯端末５によって受信される。このとき医療従事者Ａは患者６ａの回診を行っており、最寄の受像装置であるベッドサイドモニタ３ａを指定し携帯端末５を介してアラーム情報をベッドサイドモニタ３ａに近距離無線送信する状況にあるとする。
【００４９】
携帯端末５を介してアラーム情報が送信されるまでは、図３に示されるように、ベッドサイドモニタ３ａには患者６ａから測定した生体情報の画像５１が表示されている。そして、携帯端末５を介してベッドサイドモニタ３ａにアラーム情報が送信されると、図４に示されるように、ベッドサイドモニタ３ａにはネットワーク２を介して受信されたアラーム情報を発生させた患者６ｊの生体情報の画像６１が表示される。
【００５０】
アラーム情報を発生させた患者６ｊの生体情報の画像６１は、図４に示すようにベッドサイドモニタ３ａの表示部の一部に、画像５１に重ねて表示することができる。このように画像５１を完全には隠さずに一部に重ねて表示させることにより、ベッドサイドモニタ３ａによって測定中である患者６ａの生体情報も確認することができ、患者６ａの生体情報に異常が発生した場合にも対応することができる。
【００５１】
患者６ｊの生体情報を示す画像６１には、患者６ｊに異常が発生した旨を報知する警報マーク６２が表示される。また、警報理由の欄６３には、例えば、“心電、心室性頻拍”、すなわち「心電図に心室性頻拍の症状が検出される」旨のコメントが表示される。さらに、患者画像表示部６４には、アラーム情報を発生させた患者６ｊの状態をカメラ７ｊによって撮影したリアルタイムのカメラ映像が表示される。
【００５２】
以上のような実施形態の医療用モニタシステム１によれば、医療従事者が携帯している携帯端末５により近距離無線送信を行うことにより、最寄のモニタによってアラーム情報を発生させた患者の生体情報を確認することができる。したがって、アラーム情報を発生させた患者のところまで医療従事者が足を運ばなくてもモニタが設置されている最寄の場所で患者の容態を迅速かつ容易に判断することができる。これにより、医療従事者の負担を軽減することができ、例えば、複数のアラームが発生した場合であっても的確かつ迅速にその判断を行うことができ、早急な処置を必要とする患者の優先順位を的確に判定でき的確な対応を可能とできる。
【００５３】
また、携帯端末５に無線送信されてくる信号はアラーム情報のみで、その情報のみが表示部３４に表示されるので、表示部３４のサイズを小型に抑えることができるとともに、携帯端末５自体の形状も小型化することが可能である。そして、最寄のモニタの画面を用いてアラーム情報を発生させた患者の生体情報を確認することができるため、アラームを発生させている患者に関する複数の情報を表示させることを目的として携帯端末５を大型化し高性能化する必要はない。
【００５４】
また、携帯端末５から無線送信が行われたベッドサイドモニタに、任意の患者の生体情報を表示することができるので、アラーム情報を発生させた患者の生体情報と、同じ疾患の他の患者の生体情報とを表示させて対比することができ、より的確な診断および処置を行うことができる。
【００５５】
また、アラーム情報を送信しているベッドサイドモニタ３ｊの生体情報の画像６１を、携帯端末５から無線送信によってアラーム情報を送信されたベッドサイドモニタ３ａの生体情報の画像５１の表示の一部に重ねて表示することができる。これにより、ベッドサイドモニタ３ａによって測定中である患者６ａの生体情報も確認可能な状態で処置することができるため、患者６ａの生体情報に異常が発生した場合にも迅速に対応することができ、より確実な処置を行うことができる。
【００５６】
また、アラーム情報を発生させた患者の生体情報を示す画像に警報マーク、警報理由のコメント、カメラ映像等を表示することにより、医療従事者は、迅速かつ的確な判断を行うことができ適切な処置を施すことができる。特に、患者の様子をリアルタイムで表示するカメラ画像は、患者が緊急を要する状態にあるか、アラームの要因がテクニカルアラームによるものであるか等の判断をより迅速に行うことが可能となる。
【００５７】
なお、上記図４では、医療従事者Ａの携帯端末５にベッドサイドモニタ３ｊのみからアラーム情報が無線送信された場合を説明したがこの形態に限定されるものではない。例えば、２つ以上のベッドサイドモニタからアラーム情報が送信された場合にも適用することができる。その場合には医療従事者Ａが、送信された何れかのアラーム情報を選択して、そのアラーム情報を任意のベッドサイドモニタ等に近距離無線送信すればよい。
【００５８】
具体的には、医療従事者Ａの携帯端末５にベッドサイドモニタ３ｄおよびベッドサイドモニタ３ｊからアラーム情報が無線送信されてきた場合、医療従事者Ａが優先して確認すべき患者６ｄまたは６ｊを選択することができる。これにより、選択した患者（ここでは患者６ｄとする）のベッドサイドモニタ３ｄから送信されてきたアラーム情報のみを携帯端末５からベッドサイドモニタ３ａに近距離無線送信することができ、優先すべき患者６ｄの生体情報をベッドサイドモニタ３ａの表示部に表示させて確認することができる。これにより、緊急性が高い患者を優先して処置することが可能であり、迅速かつ的確な対応を行うことができる。
【００５９】
また、２つ以上のベッドサイドモニタからアラーム情報が送信された場合、医療従事者は２つ以上のアラーム情報を選択することもできる。すなわち、上記の具体的な例においてベッドサイドモニタ３ｄから送信されてきたアラーム情報とベッドサイドモニタ３ｊから送信されてきたアラーム情報の２つを選択することができる。そして、２つのアラーム情報をベッドサイドモニタ３ａに近距離無線送信した場合には、ネットワーク２を介して患者６ｄおよび患者６ｊの生体情報を同時にベッドサイドモニタ３ａの表示部に表示させて確認することができる。この場合、両患者６ａ、６ｊの生体情報をベッドサイドモニタ３ａの表示部に一部重ねて表示するようにしてもよいし、表示部を分割してそれぞれの分割表示部に表示するようにしてもよい。これにより、処置の緊急性が同程度の患者であるような場合、それらの患者の生体情報を同時に表示させることができ、より迅速かつ的確な対応を行うことができる。
【００６０】
また、図１では病院におけるワンフロア（例えば、外科フロア）について説明したが、このほか部門の異なる外科、内科、小児科等が病院内において異なるフロアに配置されている場合であっても、各フロアのベッドサイドモニタがネットワーク２に接続されていればこのシステムを適用することができる。この場合にも医療従事者は携帯端末５から最寄のモニタにアラーム情報を送信するだけで各患者の全ての生体情報を確認することができる。すなわち内科担当の医療従事者が外科のフロアに居たとしても、最寄のモニタ（外科フロアのモニタ）にアラーム情報を近距離無線送信することにより、内科のアラーム情報を発生させた患者の生体情報を確認することができる。
【００６１】
（第２の実施形態）
次に、本発明の第２の実施形態を説明する。第２の実施形態では、異常を検出したベッドサイドモニタから、アラーム情報に加えさらに異常と判定された生体情報（閾値を超えた生体情報信号）を無線送信する場合について説明する。なお、医療用モニタシステムの構成については第１の実施形態の構成（図１および図２）と同様であり、同一の参照番号を使用する。
【００６２】
携帯端末５が、ベッドサイドモニタから無線送信されたアラーム情報および閾値を超えた生体情報（以下、異常生体情報と称す。）を受信すると、携帯端末５の表示画面には、患者の生体情報に異常が発生した旨、患者ID、病室番号、患者名等のアラーム情報、および異常生体情報（異常の生体波形、異常の測定値等）が表示される。
【００６３】
続いて、医療従事者による携帯端末５の操作により、医療従事者が選択した任意のモニタ（ベッドサイドモニタ３ａ、３ｂ、・・・、３ｊ、またはセントラルモニタ４の何れか）に、アラーム情報および異常生体情報が近距離無線送信される。
【００６４】
携帯端末５からアラーム情報および異常生体情報を受信したモニタには、その表示部４４に、受信したアラーム情報および異常生体情報が表示される。すなわち表示部４４には、先ず、患者の生体情報に異常が発生した旨、患者ID、病室番号、患者名等のアラーム情報、および異常生体情報（異常の生体波形、異常の測定値等）が表示される。
【００６５】
このような構成の医療用モニタシステムによれば、先ず、異常が検出された生体情報のみを瞬時に大きいモニタ画面に表示させてその内容を確認することができる。これにより、異常の生体波形、異常の測定値等を迅速に確認することができ、より確実な処置判断が可能になる。
【００６６】
また、この場合において、異常生体情報のみの表示ではなく、患者のその他の情報をネットワーク２を介して取得して表示して確認することができるようにしてもよい。すなわち、異常生体情報のみの表示に替えて、アラーム情報を発生させた患者の生体情報を表示部４４に表示するようにしてもよい。測定している全てのパラメータの情報（波形、測定値等の情報およびカメラ映像）を表示するようにしてもよい。
【００６７】
これにより、異常が検出された生体情報のみでは明確な判断ができない場合でも、容易に他の生体情報を確認することができ、確実な判断を迅速に行うことが可能になる。また、最初の近距離無線送信により先ずは異常生体情報を迅速に表示させ、その情報内容の確認作業を行っている間にカメラ映像のようなデータ量の大きい情報をネットワーク２を介してモニタに取り込むことが可能であり、優先順位を付けた効率のよい情報表示および確認作業を行うことができる。
【００６８】
なお、表示部４４に表示されるアラーム情報および異常生体情報は、その表示に際しては、第１の実施形態において図４に基づいて説明した場合と同様に、表示部４４の一部の領域に基の画像５１に重ねて表示するようにしてもよい。また、２つ以上のベッドサイドモニタからアラーム情報および異常生体情報が送信されてきた場合においても、第１の実施形態と同様の制御が行なわれる。
【００６９】
以上、本発明を詳細にまた特定の実施態様を参照して説明したが、本発明の精神と範囲を逸脱することなく様々な変更や修正を加えることができることは当業者にとって明らかである。
【符号の説明】
【００７０】
１：医療用モニタシステム、２：ネットワーク、３（３ａ、３ｂ、３ｃ、・・・、３ｊ）：生体情報表示装置（ベッドサイドモニタ、受信装置）、４：セントラルモニタ（受信装置）、５：携帯端末、７ａ、７ｂ、７ｃ、・・・、７ｊ：カメラ、２０：生体信号測定部、２１、３１、４１：通信部、２２、３２、４２：送信手段、２３、３３、４３：受信手段、２４、３４、４４：表示部、
【図１】
2014155540.tif 000003
【図２】
2014155540.tif 000004
【図３】
2014155540.tif 000005
【図４】
2014155540.tif 000006